(57)【要約】【課題】  個装箱と、この個装箱を収納する梱包箱との整合性を高め、梱包箱内に所定の個装箱を収納するようにしたものである。【解決手段】  底板２と側板３と蓋フラップ４、５よりなる梱包箱１と、商品や物品を収納した個装箱８を有し、複数個の個装箱を梱包箱に収納するものにおいて、前記側板と蓋フラップのそれぞれに符号する記号、数字等のマーキング６、７、７を施し、個装箱と蓋フラップのマーキングの整合性を高め、延いては、梱包箱の表示内容と個装箱とを一致させたものである。【選択図】        図1
2006248528.tif 000002
【特許請求の範囲】
【請求項１】
底フラップにより形成した底板と前記底フラップに連設し鉛直方向の側壁を形成する４枚の側板と前記側板のそれぞれに連設し内側に向って折り曲げ自在に設けた二対の蓋フラップとからなる梱包箱と、商品や物品を収納した個装箱とを有し、複数個の前記個装箱を前記梱包箱に規則性を持って収納し該梱包箱の蓋フラップを内側に折り曲げ梱包テープやステップル等の封止具により梱包するものにおいて、
前記梱包箱の側板と蓋フラップのそれぞれに符号する記号、数字等のマーキングを施したことを特徴とする梱包装置。
【請求項２】
前記蓋フラップは、左右一対の第１フラップと、内側への折り曲げ方向が前記第１フラップとは異なる方向の一対の第２フラップとから構成し、内側に折り曲げた第１フラップの上に第２フラップを折り曲げるものにおいて、  
前記マーキングを、内側に折り曲げた状態にある第１フラップの一方或は両方の上面に施したことを特徴とする請求項１に記載の梱包装置。
【請求項３】
前記第１フラップに施したマーキングは、第２フラップの内側への折り曲げにより第２フラップにより隠ぺいされることを特徴とする請求項２に記載の梱包装置。
【請求項４】
前記梱包箱の側板に施す前記マーキングは個装箱の収納物を表示し、第１フラップに施す前記マーキングは前記側板に施したマーキングの一部の記号、数字と一致させたことを特徴とする請求項１に記載の梱包装置。
【請求項５】
前記梱包箱の側板に施す前記マーキングは個装箱の収納物の品番を表示し、第１フラップに施す前記マーキングは収納物の品番のうちの一部の記号、数字を表示することを特徴とする請求項１に記載の梱包装置。
【発明の詳細な説明】
【技術分野】
【０００１】
本発明は、例えば電気アイロン、ヘアードライヤの様な小物商品を収納した複数個の個装箱を１つの大きな梱包箱に収納して物流用に使用するようにしたもので、個装箱の収納時における梱包箱の表示内容と個装箱内の商品との不一致を防止するものでる。
【背景技術】
【０００２】
上述した電気アイロン、ヘアードライヤの様な電気器具に限らず外径寸法が小さい小物商品は一旦個装箱に収納した後、これらの個装箱を複数個単位にして大きな梱包箱に収納している。（特許文献１）
ここで問題となることは、不慣れな作業員や梱包手順などの初歩的ミスによって個装箱に収納した商品とその商品を収納した梱包箱の表面に印刷した商品名とが一致せず流通段階で混乱を招くことがある。
【０００３】
その具体的な理由としては、個装箱に印刷した商品名（機種名）と梱包箱に印刷した商品名（機種名）とを十分に確認せずに個装箱を梱包箱に収納することによる。
【特許文献１】実開平５−３１１６号公報（図１）
【発明の開示】
【発明が解決しようとする課題】
【０００４】
本発明は、前述の様な個装箱とそれを収納した梱包箱とを一致するようにしたものである。
【課題を解決するための手段】
【０００５】
本発明の請求項１は、底フラップにより形成した底板と前記底フラップに連設し鉛直方向の側壁を形成する４枚の側板と前記側板のそれぞれに連設し内側に向って折り曲げ自在に設けた二対の蓋フラップとからなる梱包箱と、商品や物品を収納した個装箱とを有し、複数個の前記個装箱を前記梱包箱に規則性を持って収納し該梱包箱の蓋フラップを内側に折り曲げ梱包テープやステップル等の封止具により梱包するものにおいて、前記梱包箱の側板と蓋フラップのそれぞれに符号する記号、数字等のマーキングを施したものである。
【０００６】
本発明の請求項２は、前記蓋フラップは、左右一対の第１フラップと、内側への折り曲げ方向が前記第１フラップとは異なる方向の一対の第２フラップとから構成し、内側に折り曲げた第１フラップの上に第２フラップを折り曲げるものにおいて、前記マーキングを、内側に折り曲げた状態にある第１フラップの一方或は両方の上面に施したものである。
【０００７】
本発明の請求項３は、前記第１フラップに施したマーキングは、第２フラップの内側への折り曲げにより第２フラップにより隠ぺいされるものである。
【０００８】
本発明の請求項４は、前記梱包箱の側板に施す前記マーキングは個装箱の収納物を表示し、第１フラップに施す前記マーキングは前記側板に施したマーキングの一部の記号、数字と一致させたものである。
【０００９】
本発明の請求項５は、前記梱包箱の側板に施す前記マーキングは個装箱の収納物の品番を表示し、第１フラップに施す前記マーキングは収納物の品番のうちの一部の記号、数字を表示するものである。
【発明の効果】
【００１０】
請求項１の発明によれば、梱包箱の側板と蓋フラップのそれぞれに符号する記号、数字等のマーキングを施したものであるから、個装箱を梱包箱内に収納する際に、個装箱内の商品や物品と蓋フラップのマーキンクとの整合を確認し収納するため、結果的に、個装箱と梱包箱の側板に施したマーキンクとが一致することになり誤った梱包を防止することができる。
【００１１】
即ち、蓋フラップは、個装箱を梱包箱内に収納した後、必ず折り曲げられるものであり、この折り曲げ時には自ずと作業者の視野内に蓋フラップのマーキングが入り個装箱の物品と梱包箱のマーキングとが一致する作業ができる。
【００１２】
請求項２の発明によれば、マーキングを第１フラップの一方或は両方の上面に施すことにより、２組のフラップ（第１フラップ、第２フラップ）のうちの始めに内側に折り曲げられる第１フラップに施したマーキングは、梱包箱の梱包の最初の段階で個装箱の商品や物品と梱包箱との一致を確認することができる。
【００１３】
このことは、もし第２フラップにマーキングを施した場合、第２フラップは第１フラップを内側に折り曲げた後に折り曲げるため、個装箱の商品や物品と梱包箱との一致を確認する手順が１つ後になり間違っていた場合の手間が増えることになる。
【００１４】
請求項３の発明によれば、第１フラップは、第２フラップの内側への折り曲げにより該第２フラップにより覆われることになり、結果として第１フラップのマーキングは第２フラップにより隠ぺいされるため。第２フラップを内側に折り曲げて封止具により梱包した状態では第１フラップのマーキングが梱包箱の外側から見られず体裁のよいものとなる。
【００１５】
請求項４の発明によれば、梱包箱の側板に施すマーキングは個装箱内の収納物を表示し、第１フラップに施すマーキングは側板に施したマーキングの一部の記号、数字と一致させて施したものであるから、例えば、個装箱の収納物の名称が多く記号、数字で表示されている場合には、その一部を第１フラップにマーキングとして施すことにより、瞬時に確認をすることができる。
【００１６】
請求項５の発明によれば、梱包箱の側板のマーキングは個装箱内の収納物の品番を表示し、第１フラップのマーキングは収納物の品番の一部の記号や数字を表示するため、より収納物とそれを収納する梱包箱との整合性を高めることができる。
【発明を実施するための最良の形態】
【００１７】
以下、図面を参照して本発明の最良の実施形態を説明する。但し、以下に示す実施形態は、本発明の技術思想を具体化するための梱包箱を例示するものであって、本発明はこれらに特定することを意図するものではなく、特許請求の範囲に含まれるその他の実施形態のものも等しく適応し得るものである。
【実施例】
【００１８】
本発明の実施例を図面に基づいて説明する。図１は本発明の梱包装置の斜視図、図２は同じく梱包箱の側板に施すマーキングと第１フラップに施すマーキングの照合表、図３は同じく梱包状態を示す斜視図である。
【００１９】
（１）は段ボールにより形成した四角形の梱包箱で、４枚の底フラップ（図示せず）により形成した底板（２）と、前記底フラップに連設し鉛直方向に折り曲げて側壁を形成した４枚の側板（３）、（３）、（３）、（３）と、前記側板のそれぞれに連設し内側に向って折り曲げ自在に設けた二対の蓋フラップ（４）、（５）とから構成している。
【００２０】
前記蓋フラップ（４）は、向い合って内側に折り曲げる左右一対の第１フラップ（４０）、（４０）により形成し、蓋フラップ（５）は、前記第１フラップ（４０）、（４０）とは異なる方向（直交する方向）の内側に折り曲げる一対の第２フラップ（５０）、（５０）により形成している。
【００２１】
（６）は前記側板（３）に印刷によって施されたマーキングで、アルファベット等の記号や数字が表示されている。実施例では、Ａ−ＸＸ（Ｗ）と表示しているが、この記号Ａは商品名、記号ＸＸは品番、（Ｗ）は商品の色記号を表記している。
【００２２】
（７）、（７）は前記第１フラップ（４０）、（４０）の内側に折り曲げた時に上面となる面に施したマーキングで、実施例では「Ｗ」と表示している。この「Ｗ」の表示は前述の梱包箱の側板に施したマーキングの（Ｗ）と一致しており、商品の色が例えば「白色」であることを意味している。
【００２３】
（８）、（８）…は前記梱包箱内に収納する複数個の個装箱で、詳図していないが、それぞれの箱表面には収納物の商品名であるＡ−ＸＸ（Ｗ）が印刷により表示している。本実施例では個装箱４箱を１ユニットとして梱包箱内に収納する。
【００２４】
次に梱包の手順について述べる。先ず、予め底フラップを重合して底板（２）を構成し各側板（３）、（３）、（３）、（３）を折り曲げて一部の側縁を封緘し上部が開放した梱包箱を組み立てる。
【００２５】
事前に商品を収納した個装箱を１箱ずつ梱包箱に収納し、４つの個装箱を収納した段階で第１フラップ（４０）、（４０）を内側に折り曲げ、第２フラップ （５０）、（５０）を内側に折り曲げた後、接着テープ（９）、（９）により第１フラップ（４０）、（４０）同士が対峙する端縁と、第２フラップ （５０）、（５０）の側端縁を貼着固定し封緘する。
【００２６】
また、図２に示す様に、梱包箱のマーキングが「Ａ−ＸＸ（Ｐ）」であれば、第１フラップのマーキングを「Ｐ」、「Ａ−ＹＹ（Ｗ）」であれば「Ｗ」、「Ａ−ＹＹ（Ｐ）」であれば「Ｐ」で表示する。
【００２７】
而して、前述の第１フラップ（４０）、（４０）の折り曲げ後には、個装箱（８）…の箱表面と第１フラップのマーキング（７）、（７）とが接近し作業者の視野に個装箱とマーキングとが入ることになり収納した個装箱（８）…と第１フラップ（４０）、（４０）のマーキング（７）、（７）との一致を自ずと確認できる。
【００２８】
ここで確認が完了すれば、梱包箱内に収納した個装箱と梱包箱の側板のマーキング（６）とが自動的に一致することになる。
【００２９】
本実施例では、２枚の第１フラップ（４０）、（４０）のそれぞれにマーキング（７）、（７）を施したが、これはより正確性を高めるために施したものであり、２枚の第１フラップの何れも必ず作業者が内側に折り曲げることを考慮すれば、第１フラップの２枚にそれぞれマーキングを施さなくとも、第１フラップの１枚に大きなマーキングを施すことによって十分な正確性を引き出すことができる。
【００３０】
斯して、第１フラップによるマーキングと個装箱との整合が確認されれば接着テープ（９）、（９）で各部を接着し梱包を完了する。
【図面の簡単な説明】
【００３１】
【図１】本発明の梱包箱の梱包前段階の斜視図。
【図２】同じく第１フラップと梱包箱のマーキングの記号の照合表。
【図３】同じく梱包箱の梱包状態を示す外観斜視図である。
【符号の説明】
【００３２】
１  梱包箱
２  底板
３  側板
４  蓋フラップ
５  蓋フラップ
６  マーキング
７  マーキング
８  個装箱
９  接着テープ（封止具）
【図１】
2006248528.tif 000003
【図２】
2006248528.tif 000004
【図３】
2006248528.tif 000005